(57)【要約】【課題】比較的簡易な構成でリングの円滑な開閉操作を行うことができ、しかも設計製作性の向上、構造強度及び品質安定性の向上、並びに低コスト化等を図ることができるリング式綴じ具を提供すること。【解決手段】  ケース形のベース部２と、ベース部に設けられ、一側リング片３１と他側リング片３２の自由端どうしの接触又は離間により閉リング姿勢又は開リング姿勢に変化する複数のリング３と、ベース部内に並行配置され、一側リング片の基端を支持する第１支持部材４及び他側リング片の基端を支持する第２支持部材５と、ベース部２の長手方向に沿って往復移動可能に設けられた操作部材６と、第１支持部材４及び第２持部材５と操作部材６との間に設けられ、操作部材６の往復移動時に各リングが閉リング姿勢と開リング姿勢に変化できるように前第１支持部材及び第２支持部材をベース部の軸回りに傾斜させる切替機構と、を備える。【選択図】      図１
2006341397.tif 000002
【特許請求の範囲】
【請求項１】
底板部及び天板部を有するケース形のベース部と、
前記ベース部に設けられ、一側リング片と他側リング片の自由端どうしの接触又は離間により閉リング姿勢又は開リング姿勢に変化する複数のリングと、
前記ベース部内に並行配置され、前記一側リング片の基端を支持する第１支持部材及び他側リング片の基端を支持する第２支持部材と、
前記ベース部の長手方向に沿って往復移動可能に設けられた操作部材と、
前記第１支持部材及び第２支持部材と前記操作部材との間に設けられ、操作部材の往復移動時に各リングが閉リング姿勢と開リング姿勢に変化できるように前記第１支持部材及び第２支持部材をベース部の軸回りに傾斜させる切替機構とを備え、
前記第１支持部材及び第２支持部材は、前記ベース部の幅方向に並べて配置され、それら第１支持部材及び第２支持部材と前記天板部との間に前記操作部材が配置されている、リング式綴じ具。
【請求項２】
前記第１支持部材及び第２支持部材は、細長い板状部分と、その板状部分の幅方向中央部に位置して自身の軸方向に延びる円柱部分とをそれぞれ有する、請求項１記載のリング式綴じ具。
【請求項３】
前記切替機構は、前記操作部材の下面に設けられた凸部と、前記第１支持部材及び第２支持部材に設けられた凹部と、それら第１支持部材及び第２支持部材を前記リングが開リング姿勢となる方向へ附勢するバネとを含み、前記操作部材を何れか一方へ移動させたときに前記凹部に凸部が嵌り込み、各リングを閉リング姿勢から開リング姿勢に変化させる、請求項１又は２に記載のリング式綴じ具。
【請求項４】
前記切替機構は、前記操作部材を他方へ移動させたときに前記凸部が凹部から抜け出し、前記第１支持部材及び第２支持部材の表面を押圧して各リングを開リング姿勢から閉リング姿勢に変化させる、請求項１〜３の何れかに記載のリング式綴じ具。
【請求項５】
前記切替機構の凸部は、第１支持部材及び第２支持部材にそれぞれ支持されている各リング片の基端部付近に対応する位置に設けられている、請求項４に記載のリング式綴じ具。
【請求項６】
前記ベース部は、前記第１支持部材と第２支持部材をベース部の長手方向に沿って並行配置するための収容部と、それら第１支持部材に支持された一側リング片と第２支持部材に支持された他側リング片をベース部上へ突出させる開口とを有する、請求項１〜５の何れかに記載のリング式綴じ具。
【請求項７】
前記ベース部は、底板部及び側板部を有し上面が開放された平面略長方形状の下ケースと、その下ケースを覆う上ケースとを備え、前記第１支持部材及び第２支持部材と前記上ケースとの間に前記操作部材が配置され、前記操作部材の両端は、前記ベース部の両端から突出している、請求項１〜６の何れかに記載のリング式綴じ具。
【発明の詳細な説明】
【技術分野】
【０００１】
本発明は、一縁部に沿って複数の綴じ孔が設けられたルースリーフ等を綴じ込むために利用されるリング式綴じ具の技術に関する。
【背景技術】
【０００２】
開閉可能な複数のリングを備えたリング式綴じ具は、従来から広く知られている。例えば、ルースリーブ式のアルバム、手帳、ノート、透明フィルム保管袋、その他同様物を綴じ込むための綴じ具として多用されている。
【０００３】
このリング式綴じ具は、通常、左右対称あるいは非対称な半円形状のリング片の自由端どうしを突き合わせたり、離間させたりする操作を行うことでリングを開閉する構成である。
【０００４】
リングの開閉方法として、スライド部材のスライド操作によりリングを開閉する技術が特許文献１に記載されている。この技術は、左右のリング片をそれぞれ支持する二つの支持部材の一方をベース部材の側方へスライドさせることによりリングを開リング姿勢と閉リング姿勢に変化させる構成としたものである。
【０００５】
しかし、リング片の一方の支持部材を側方へスライドさせる方法では、支持部材のスライド量を大きくしない限り、リングの開度を大きくできない問題がある。なお、リング片の両方をベース部材の側方へスライドさせる方法もあるが、この方法ではスライド機構を含めてベース部材の幅寸法が大型化する問題や、綴じた書類の重量の影響等を受けてリングの開閉操作を円滑に行えなくなってしまう問題がある。
【０００６】
このような問題に配慮した技術として、特許文献２に記載の技術がある。この技術は、図１９乃至図２１に示すように、表紙体１１１とベース１１２との間に、スライド部材１１３を進退可能に設けると共に、このスライド部材１１３に係合するリング部材１１５をベース１１２の両側に配置している。リング部材１１５は、軸部材１３１と、これに一体的に設けたリング形成体（リング片）１３２とからなり、両側の各リング片１３２の先端が突き合わされた状態で閉ループが形成される。
【０００７】
軸部材１３１には凸部１３３が設けられており、この凸部１３３はスライド部材１１３の側端面に設けられたガイド溝１２８に係合する。これにより、スライド部材１１３を進退したときに、ガイド溝１２８の形状にしたがってリング片１３２が相互に離間及び接近する方向に回動可能となる。
【特許文献１】特開平８−３３７０８８号公報
【特許文献２】特開２００１−１０２７３号公報
【発明の開示】
【発明が解決しようとする課題】
【０００８】
特許文献２に記載のリング式綴じ具１１０は、ベース１１２の幅方向の中央にスライド部材１１３を配置する構成であるため、各リング片１３２の支持部材である軸部材１３１を細長い軸形状に形成している。その結果、軸部材１３１のねじれ剛性が脆弱で、リングを閉ループに保持する力が弱く（リングが撓みやすく）、その分、リング片１３２から書類が脱落しやすくなる問題がある。また、図１６に示すように、リング片１３２と突部１３３とがオフセットされているため、両者間の軸部材１３１部分にねじれ現象が生じやすくなり、この点からもリングの撓みを助長させる要因となっている。
【０００９】
また、このリング式綴じ具１１０では、リングを開状態にするには、スライド部材１１３の操作部２１を指で引っ張り出すように操作する必要がある。この操作には、綴じている書類をよけた上で指を引っ掛けるためのスペースＳが余分に必要となり、その分、デッドスペースも大きくなる問題がある。この問題は、例えばシステム手帳のように、大きなデッドスペースをとることができない綴じ具に適用する場合に重要な問題となる。
【００１０】
また、ガイド溝１２８は、その両端の水平部２８Ａ、２８Ｃと、その間の傾斜部２８Ｂを有する形状である。したがって、傾斜部２８Ｂを緩慢な傾斜にすれば、スライド部材１１３の円滑な操作性を確保できるものの、スライド部材１１３のストロークが長くなる問題がある。一方、傾斜部２８Ｂを急傾斜にすればスライド部材１１３のストロークを小さくできるものの、スライド部材１１３の操作性が低下する（固くなる）問題がある。
【００１１】
さらに、このリング式綴じ具１１０のリング開閉機構は、スライド部材１１３の軸方向への移動をリングの開閉運動に変換する機構となっている。従って、リング開閉機構の円滑な動きを実現するには、摺動性の良い材料の選定や、ガイド溝１２８と突部１３３の形状調整等を微細に行う必要があるため、設計製作が容易でない上に、品質安定性を確保し難い、といった問題がある。
【００１２】
また、このようにガイド溝１２８と突部１３３とでリング部材１１５を回動させる構成では、ガイド溝１２８をスライド部材１１３の側面に設ける必要があるため、金型が複雑化して製作コストが高くなる問題がある。
【００１３】
よって、本発明の課題は、比較的簡易な構成でリングの円滑な開閉操作を行うことができ、しかも設計製作性の向上、構造強度及び品質安定性の向上、並びに低コスト化等を図ることができるリング式綴じ具を提供することにある。
【課題を解決するための手段】
【００１４】
前記課題を解決するため、本発明では以下の手段を採用した。
即ち、本発明に係るリング式綴じ具は、底板部及び天板部を有するケース形のベース部と、ベース部に設けられ、一側リング片と他側リング片の自由端どうしの接触又は離間により閉リング姿勢又は開リング姿勢に変化する複数のリングと、ベース部内に並行配置され、一側リング片の基端を支持する第１支持部材及び他側リング片の基端を支持する第２支持部材と、ベース部の長手方向に沿って往復移動可能に設けられた操作部材と、第１支持部材及び第２支持部材と操作部材との間に設けられ、操作部材の往復移動時に各リングが閉リング姿勢と開リング姿勢に変化できるように第１支持部材及び第２支持部材をベース部の軸回りに傾斜させる切替機構とを備え、第１支持部材及び第２支持部材は、ベース部の幅方向に並べて配置され、それら第１支持部材及び第２支持部材と天板部との間に操作部材が配置されている構成としたものである。
【００１５】
本発明によれば、ベース部の長手方向に沿って往復移動可能な操作部材を操作することで、各リングを閉リング姿勢と開リング姿勢に変化させることができる。その際、切替機構により二つの支持部材をベース部の軸回りに傾斜させてリングを開閉する構成としているので、リング片が回動する両開きの形態とすることができる。即ち、リング片の自由端どうしの最大離間距離であるリングの開度を大きくすることができる。これにより使い勝手がよく、作業性に優れた綴じ具となる。しかもリング片が回動する両開きの形態としているので、簡易な構成でリングの円滑な開閉操作を実現することができる。
【００１６】
特に、第１支持部材及び第２支持部材をベース部の幅方向に並べて配置し、それらの上に操作部材を配置する構成を採用しているので、ベース部の幅寸法を有効活用した部材構
造とすることができる。即ち、二つの支持部材として、従来のように単なる棒状ではなく、ねじれ剛性に優れた例えば板形状にしたものを配置することが可能になる。これにより、両支持部材の構造強度を高め、リングが開く方向の撓みを小さくして書類の脱落等を防ぐことができる。
【００１７】
本発明において、前記第１支持部材及び第２支持部材は、細長い板状部分と、その板状部分の幅方向中央部に位置して自身の軸方向に延びる円柱部分とをそれぞれ有する構成とすることが望ましい。このように構成した場合、板状部分と円柱部分によって支持部材自体の剛性をさらに高めることができる。さらに、円柱部分の存在によって、支持部材がその軸回りに回動し易い構成とすることができる。
【００１８】
本発明において、前記切替機構は、操作部材の下面に設けられた凸部と、第１支持部材及び第２支持部材に設けられた凹部と、それら第１支持部材及び第２支持部材をリングが開リング姿勢となる方向へ附勢するバネとを含み、操作部材を何れか一方へ移動させたときに凹部に凸部が嵌り込み、各リングを閉リング姿勢から開リング姿勢に変化させる構成とすることが望ましい。このように構成した場合、操作部材を単に一方へ押圧操作するだけで、バネの附勢力によってリングを円滑に開リング姿勢に変化させることができる。しかもこのように凹部及び凸部とバネを含む簡易な構成で切替機構を構成することができる。これにより、金型を含む設計製作が容易で、品質安定性を確保し易い切替機構とすることができる。
【００１９】
また、前記切替機構は、操作部材を他方へ移動させたときに凸部が凹部から抜け出し、第１支持部材及び第２支持部材の表面を押圧して各リングを開リング姿勢から閉リング姿勢に変化させる構成とすることが望ましい。このように構成した場合、操作部材を単に他方へ押圧操作するだけで、リングを閉リング姿勢に変化させることができる。
【００２０】
また、前記切替機構の凸部は、第１支持部材及び第２支持部材にそれぞれ支持されている各リング片の基端部付近に対応する位置に設けられていることが望ましい。このように構成すれば、切替機構の凸部は第１支持部材及び第２支持部材の表面を押圧する際に各リング片の基端部付近に対応する位置を押圧するので、両支持部材にねじれ現象を与えない構成とすることができる。従って、この点からも、りリングが開く方向の撓みを小さくして書類の脱落等を防ぐ機能を高めることができる。
【００２１】
本発明において、前記ベース部は、第１支持部材と第２支持部材をベース部の長手方向に沿って並行配置するための収容部と、それら第１支持部材に支持された一側リング片と第２支持部材に支持された他側リング片をベース部上へ突出させる開口とを有する構成とすることが望ましい。このように複数の一側リング片と他側リング片をベース部の開口部分からベース部上へ突出させる構成とした場合、外観が良好になる上に、支持部材や切替機構等の可動部分をベース部内に収めて保護することが可能になる。
【００２２】
本発明において、前記ベース部は、底板部及び側板部を有し上面が開放された平面略長方形状の下ケースと、その下ケースを覆う上ケースとを備え、第１支持部材及び第２支持部材と上ケースとの間に操作部材が配置され、操作部材の両端は、ベース部の両端から突出している構成とすることが望ましい。ベース部を下ケースと上ケースで構成することで、例えば背表紙に下ケースを先に取り付けることができる。これにより、上ケースを含む残りの部材を後から下ケースに装着する組み立て作業を行うことも可能になる。また、操作部材の両端をベース部の両端から突出させることで、操作性に優れた押圧操作のみによって操作部材を往復移動させることができ、その分、使い勝手の向上を図ることができる。しかも、従来のように、指を引っ掛けるためのスペースが不要となり、余分なデッドスペースを無くすことが可能になる。
【発明の効果】
【００２３】
本発明のリング式綴じ具によれば、比較的簡易な構成でリングの円滑な開閉操作を行うことができ、しかも設計製作性の向上、構造強度及び品質安定性の向上、並びに低コスト化等を図ることができるといった優れた効果が得られる。
【発明を実施するための最良の形態】
【００２４】
以下、本発明の好適な実施の形態について、図面を参照して説明する。
図１は、本発明に係るリング式綴じ具を表紙体の背表紙に固定して使用する実施形態を示す斜視図である。図２はリング式綴じ具を一部透過で示した斜視図である。図３及び図４はその綴じ具の分解斜視図である。
【００２５】
この実施形態のリング式綴じ具１は、細長いケース形のベース部２（図６参照）と、ベース部２の長手方向に間隔をおいて配置された複数（６つ）のリング３と、ベース部２内に並行配置された二つのリング用支持部材（第１支持部材４及び第２支持部材５）と、ベース部２の長手方向に沿って往復移動可能に配置された操作部材６と、操作部材６の操作によりリング３を開閉動作させる切替機構７とを備えている。各リング３は、操作部材６を往復移動させることで、図１に示すように書類等を綴じ込む閉リング姿勢と、図２に示すように書類等を綴じ入れるために閉リングを開放する開リング姿勢に変化することができる。
【００２６】
次に、図１〜図１３を参照しこれらの詳細について説明する。
ベース部２は合成樹脂製であって、下ケース２１と上ケース２２とで構成されている。下ケース２１は、底板部２１１及び側板部２１２を有し上面が開放された平面略長方形に形成されている。この下ケース２１には、図１に示すように、表紙体１００の背表紙１０１にリベットやねじ等で固定するための固定穴２１３が設けられている。下ケース２１には、第１支持部材４と第２支持部材５をベース部２の長手方向に沿って並行配置するための収容部２１４が設けられている。  
【００２７】
なお、下ケース２１をねじ止めする場合には、例えば図１３に示すように、下ケース２１と、ねじ１０２用のねじ穴１０３を有する抜け止め用の背面部材１０４とにより、表紙カバー取り付けユニットとして構成しても良い。
【００２８】
上ケース２２は、下ケース２１を覆うことができる天板部２２１と側板部２２２を有し下面が開放されている。天板部２２１はその長手方向と直交する断面において円弧状に形成されている。そして、下ケース２１の側板部２１２と、上ケース２２の側板部２２２には、後述する一側リング片３１と他側リング片３２をベース部２上へ突出させる開口２１５，２２５がそれぞれ設けられている。
【００２９】
また、下ケース２１の側板部２１２と、上ケース２２の側板部２２２には、図８に示すように上ケース２２を下ケース２１に嵌め込んで装着するための係合片２１ａ、２２ａがそれぞれ設けられている。
【００３０】
さらに、ベース部２の側面であって、下ケース２１と上ケース２２の境界部分には、図７に示すように、マイナスドライバー等の差し込み穴２ａが間隔をおいて複数形成されている。この差し込み穴２ａは、分解時等において下ケース２１から上ケース２２を分離するときに利用される。
【００３１】
各リング３は、それぞれ、一側リング片３１と他側リング片３２とで構成される。そして、一側リング片３１は第１支持部材４に支持され、他側リング片３２は第２支持部材５に支持されている。なお、この実施形態では、各リング片と支持部材も、ベース部２と同
様に合成樹脂製である。したがって、各一側リング片３１と第１支持部材４、及び各他側リング片３２と第２支持部材５は、それぞれ一体に樹脂成形されている。勿論、リング片を別成形として支持部材に対し接着により固定しても良い。
【００３２】
二つの支持部材４，５は、図３及び図４に示すように、リング片を含めてほぼ左右対称な形状であって、ベース部２内に並行配置されている。両支持部材４，５の長さはベース部２の内寸とほぼ同寸に形成され、ベース部２の軸方向に相対変位しないように配慮されている。両支持部材４，５は、全体として細長い板状に形成することもできる。しかし、この実施形態の支持部材４，５は、板状部分４１，５１の幅方向中央部に位置してそれぞれ自身の軸方向に棒状に延びる円柱部４２，５２を有している。
【００３３】
この円柱部４２，５２を設けた理由は、両支持部材４，５が自身の軸回りに回動して左右（側方）に傾斜し易いように配慮したものである。但し、両支持部材４，５がベース部２内で左右リンクして回動できるように、相対する板状部分４１，５１に突片４３，５３が設けられている。これらの突片は板状部分の長さ方向に間隔をおいて複数設けられている。
【００３４】
操作部材６は、第１支持部材４及び第２支持部材５と上ケース２２との間に配置され、その両端６１，６２は、ベース部２の両端から突出している。両端６１，６２は、ベース部２の端面を覆う大きさの端板状に形成され、手指等で押圧する操作部として利用される。両端６１，６２の間は、図５に示すように底面から見て薄い溝形状の長寸部６３として形成され、その下面には切替機構７の一部を構成する凸部７１が長寸部６３の長さ方向に間隔をおいて複数（６つ）設けられている。これらの凸部７１は各リング３の直下にそれぞれ位置するように対応付けられている。
【００３５】
即ち、各凸部７１は、第１支持部材４及び第２支持部材５にそれぞれ支持されている各リング片３１，３２の基端部付近に対応する位置にそれぞれ設けられている。これは、各凸部７１が第１支持部材及び第２支持部材の表面を押圧する際に各リング片の基端部付近に対応する位置を押圧させることで、両支持部材にねじれ現象を与えない構成とするためである。
【００３６】
凸部７１は図１０に示すように断面くさび形に形成されている。即ち、操作部材６の移動方向（矢印ロ方向）の一側にテーパ面が形成されて先細りになる形状とされている。そして、これらの凸部７１が嵌り込む凹部７２が第１支持部材４と第２支持部材５にそれぞれ形成されている。
【００３７】
切替機構７は、第１支持部材４及び第２支持部材５と、操作部材６との間に設けられ、操作部材６の往復移動時に各リング３が閉リング姿勢と開リング姿勢に変化できるように第１支持部材４及び第２支持部材５をベース部２の軸回りに所定角度回動（傾斜）させるように設定されている。
【００３８】
即ち、切替機構７は、操作部材６の下面に設けられた凸部７１と、第１支持部材４及び第２支持部材５に設けられた凹部７２と、それら第１支持部材４及び第２支持部材５をリング３が開リング姿勢となる方向へ附勢するバネ７３（図示されていない）とを備えている。そして、操作部材６を一方（矢印イ方向）へ移動させたときに凹部７２に凸部７１が嵌り込み、各リング３を閉リング姿勢から開リング姿勢に変化させる構成としている。
【００３９】
さらに、この切替機構７は、操作部材６を他方（矢印ロ方向）へ移動させたときに凸部７１が凹部７２から抜け出し、第１支持部材４及び第２支持部材５の表面を押圧して各リング３を開リング姿勢から閉リング姿勢に変化させる構成としている（図１０参照）。
【００４０】
このリング３の開閉機能を円滑に実現させるために、凹部７２はスリット状であって、両支持部材４，５の相対する板状部分４１，５１に対向する形態で設けられている。さらに、各凹部７２の大きさは、それらに凸部７１がそれぞれ嵌り込んだ状態で、第１支持部材４及び第２支持部材５が円滑に回動できるように設定されている。
【００４１】
また、凸部７１は図１０に示すように断面くさび形で片側にテーパ面を有するように形成されている。一方、凹部７２の内面であって凸部７１のテーパ面と接触する内面もテーパ面に形成されている。これにより、凸部７１が凹部７２から抜け出して、両支持部材４，５の相対する板状部分４１，５１の上に乗り上がる作用（実際には板状部分４１，５１を押し下げる作用）が円滑になるように配慮されている。凸部７１が相対する板状部分４１，５１を押し下げて、両支持部材４，５を内側へ回動させることで、各リング３が閉リング姿勢に変化することになる。
【００４２】
切替機構７の一部を構成するバネ７３は、第１支持部材４及び第２支持部材５と、下ケース２１との間に配置されている。このバネ７３としては、種々の形状のものを適用可能であるが、コイルバネとした場合には、相対する板状部分４１，５１の下面と下ケース２１との間に、それぞれ２個配置される。なお、例えば板バネを用いる場合には、相対する板状部分４１，５１の境界部分と下ケース２１との間に一つ配置しても良い。
【００４３】
この実施形態によれば、往復移動可能な操作部材６を操作することで、各リング３を閉リング姿勢と開リング姿勢に変化させることができる。その際、切替機構７により二つの支持部材４，５をベース部２の軸回りに傾斜させてリング３を開閉する構成としているので、リング片３１，３２が回動する両開きの形態とすることができる。即ち、リング片３１，３２の自由端３１ａ，３２ａどうしの最大離間距離（図２参照）であるリングの開度を大きくすることができる。これにより使い勝手がよく、作業性に優れた綴じ具となる。しかもリング片３１，３２が回動する両開きの形態としているので、簡易な構成でリングの円滑な開閉操作を実現することができる。
【００４４】
また、第１支持部材４及び第２支持部材５をベース部２の幅方向に並べて配置し、それらの上に操作部材６を配置しているので、ベース部６の幅寸法を有効活用した部材構造とすることができる。これにより、両支持部材４、５の構造強度を高め、リングが開く方向の撓みを小さくして書類の脱落等を防ぐことができる。
【００４５】
また、第１支持部材４及び第２支持部材５は、細長い板状部分４１、５１と、その板状部分の幅方向中央部に位置して自身の軸方向に延びる円柱部分４２、５２とをそれぞれ有する構成とすることで、板状部分と円柱部分によって支持部材自体の剛性をさらに高めることができる上に、円柱部分４２、５２の存在によって、支持部材４、５がその軸回りに回動し易い構成とすることができる。
【００４６】
また、切替機構７は、操作部材に設けた凸部７１と、二つの支持部材に設けた凹部７２と、リング３が開リング姿勢となる方向へ附勢するバネ７３とを含み、操作部材６を矢印イ方向へ移動させたときに凹部７２に凸部７１が嵌り込み、各リング３を閉リング姿勢から開リング姿勢に変化させる構成としている。これにより、操作部材を単に一方へ押圧操作するだけで、バネ７３の附勢力によってリング３を円滑に開リング姿勢に変化させることができる。しかもこのように凹部７２及び凸部７１とバネ７３を含む簡易な構成で切替機構７を構成することができる。さらに、この切替機構７は、操作部材６を単に他方（矢印ロ方向）へ押圧操作するだけで、リング３を閉リング姿勢に変化させることができる。
【００４７】
また、一側リング片３１と他側リング片３２をベース部２の開口部分からベース部２上
へ突出させる構成としているので、図示例のように外観が良好になる上に、支持部材４，５や切替機構７等の可動部分をベース部２内に収めて保護することが可能になる。
【００４８】
また、ベース部２を下ケース２１と上ケース２２で構成することで、例えば背表紙１０１に下ケース２１を先に取り付けることができる。これにより、上ケース２２を含む残りの部材を後から下ケース２１に装着する組み立て作業を行うことも可能になる。また、操作部材６の両端をベース部２の両端から突出させることで、操作性に優れた押圧操作のみによって操作部材６を往復移動させることができ、その分、使い勝手の向上を図ることができる。
【００４９】
図１４〜図１８は、本発明の他の実施形態を示すものである。この実施形態では、リング式綴じ具１の下ケース２１を背表紙や手帳等に簡易な操作で着脱可能に取り付けることができる着脱機構を設けた例を示している。なお、この実施形態において、先の実施形態と基本的に同一の構成部材については同一の符号を付してその説明を簡略化する。
【００５０】
この実施形態のリング式綴じ具１も、下ケース２１を着脱可能に取り付ける背面部材１０を備えている。背面部材１０は、図１３で示したものと同様に細長い板状であって、その表面中央部には円筒状の筒状突起１１が設けられている。さらに、背面部材１０の表面には、抜け止め用の頭部付き突起１２が背面部材１０の長さ方向に間隔をおいて複数（４つ）設けられている（図１５参照）。
【００５１】
下ケース２１の底板部２１１には、図１６の平面図で示すように、背面部材１０の筒状突起１１が貫通する長穴２ａと、各頭部付き突起１２がそれぞれ貫通状態で係合する係合孔２ｂが設けられている。長穴２ａは下ケース２１の長手方向に長く形成されている。各頭部付き突起１２が係合する各係合孔２ｂは、頭部付き突起１２の頭部が貫通する少し大き目の円形孔２ｃと、その円形孔２ｃから下ケース２１の長手方向に延びた横孔２ｄとを有している。
【００５２】
横孔２ｄは細幅に形成されていて、頭部付き突起の軸部分がこの横孔２ｄに進入可能に形成されている。従って、各頭部付き突起１２が、対応する係合孔２ｂの円形孔２ｃにそれぞれ進入するように、下ケース２１と背面部材１０を重ねた後に、互いの長手方向にスライドさせることで、両者を係合（結合）させ、反対方向にスライドさせることで、両者の係合を解除することができるように構成されている。
【００５３】
上ケース２２の天板２２１の中央部には、頭部付き止めピン１３用の通し穴２２ａが設けられている。この通し穴２２ａから頭部付き止めピン１３を挿入することで、その先端部を筒状突起１１内に挿入（無理嵌め）して固定できるように構成されている。これにより、ベース部２と背面部材１０とが互いの長手方向にスライドするのを阻止できるように配慮されている。
【００５４】
リング式綴じ具１を例えば手帳に装備する場合、背面部材１０が手帳側に固定される。固定方法は種々あるが、手帳側に設けた例えば袋状の背面部材収容部に収容された状態で筒状突起１１及び各頭部付き突起１２のみが、背面材収容部に設けた穴から表面に突出する形態となる（図示せず）。従って背面部材１０は固定側となり、それ以外の部分、即ち、背面部材１０を除くリング式綴じ具１が装着側となる。勿論、背面部材１０を背表紙の表面側に配置することもできる。
【００５５】
なお、図１７に示すように、操作部材６の長手方向中央部にもスライド用長穴６ａが設けられている。これは、下ケース２１と上ケース２２で構成されるベース部２内に、筒状突起１１をベース部２の厚さ方向に挿入するために必要なものである。操作部材６の長さ
方向に延びる長穴としているのは、操作部材６のスライド操作に影響を及ぼさないようにするためである。
【００５６】
さらに、図１８に示すように、支持部材４の板状部材４１にも、筒状突起１１が支持部材４の機能に影響を及ぼさないようにするための平面半円状の切り欠き４１ａが設けられている。なお、特に図示していないが、この平面半円状の切り欠きは、支持部材５の板状部材５１にも同様に設けられる。
【図面の簡単な説明】
【００５７】
【図１】本発明の実施形態に係る綴じ具と表紙カバーとの関係を示す分解斜視図である。
【図２】本発明の実施形態に係る綴じ具を一部透過で示した斜視図である。
【図３】本発明の実施形態に係る綴じ具の分解斜視図である。
【図４】本発明の実施形態に係る綴じ具の分解斜視図である。
【図５】本発明の実施形態に係る綴じ具の操作部材の斜視図である。
【図６】本発明の実施形態に係る綴じ具の斜視図である。
【図７】本発明の実施形態に係る綴じ具の部分断面図である。
【図８】本発明の実施形態に係る綴じ具の部分断面図である。
【図９】本発明の実施形態に係る綴じ具の平面図である。
【図１０】図９のＡ−Ａ線断面図である。
【図１１】本発明の実施形態に係る綴じ具の断面図であり、（ｂ）は図９のＢ−Ｂ線断面図、（ｃ）は図９のＣ−Ｃ線断面図、（ｄ）は図９のＤ−Ｄ線断面におけるリング開の状態を示す図である。
【図１２】本発明の実施形態に係る綴じ具を示すもので、（ａ）は側面図、（ｂ）は底面図である。
【図１３】本発明の実施形態に係る綴じ具の表紙カバーユニットを示す斜視図である。
【図１４】本発明の他の実施形態を示すリング式綴じ具の斜視図である。
【図１５】本発明の他の実施形態を示す背面部材の斜視図である。
【図１６】本発明の他の実施形態を示す下ケースの平面図である。
【図１７】本発明の他の実施形態を示す操作部材の斜視図である。
【図１８】本発明の他の実施形態を示す支持部材の斜視図である。
【図１９】従来のリング式綴じ具を示す斜視図である。
【図２０】従来のリング式綴じ具を示す断面図である。
【図２１】従来のリング式綴じ具を示す部分分解斜視図である。
【符号の説明】
【００５８】
１  綴じ具
２  ベース部
２１  下ケース
２２  上ケース
３  リング
３１  一側リング片
３２  他側リング片
４  第１支持部材
５  第２支持部材
６  操作部材
７  切替機構
７１  凸部
７２  凹部
７３  バネ
【図１】
2006341397.tif 000003
【図２】
2006341397.tif 000004
【図３】
2006341397.tif 000005
【図４】
2006341397.tif 000006
【図５】
2006341397.tif 000007
【図６】
2006341397.tif 000008
【図７】
2006341397.tif 000009
【図８】
2006341397.tif 000010
【図９】
2006341397.tif 000011
【図１０】
2006341397.tif 000012
【図１１】
2006341397.tif 000013
【図１２】
2006341397.tif 000014
【図１３】
2006341397.tif 000015
【図１４】
2006341397.tif 000016
【図１５】
2006341397.tif 000017
【図１６】
2006341397.tif 000018
【図１７】
2006341397.tif 000019
【図１８】
2006341397.tif 000020
【図１９】
2006341397.tif 000021
【図２０】
2006341397.tif 000022
【図２１】
2006341397.tif 000023